(57)【要約】      （修正有）【課題】複数の非接触ＩＣカードを収納ケースに収納した状態でリーダー・ライターの読み取り範囲内に前記収納ケースをかざした場合に非接触ＩＣカード同士の相互干渉による読み取りエラーを防ぐと共に、感度調整の容易化、収納性の向上、素材の取り外しによる機能調整が可能な非接触ＩＣカード収納ケースを提供する。【解決手段】収納ケース外側第一面及び第二面にそれぞれ１枚ずつ非接触ＩＣカードの収納部を有し、且つ収納ケース内部に磁性体、導電体並びに中央収納部をそれぞれ配置することで、収納ケースのリーダー・ライター側に収納された非接触ＩＣカードのみが確実に交信を行う。中央収納部を設けることにより収納性の向上や、非接触ＩＣカードの交信感度調整を可能とする。更には、磁性体及び導電体を収納ケースより取り外し可能とすることにより、スキミング防止機能や交信感度向上を図ることを可能とした。【選択図】図１
2009252223.tif 000002
【特許請求の範囲】
【請求項１】
外側第一面及び第二面にそれぞれ一枚ずつの非接触ＩＣカード収納部を設けた収納ケースであって、収納ケースの外側第一面より外側第二面に向かって順に、第一面側非接触ＩＣカード収納部，少なくとも非接触ＩＣカードのループアンテナをカバーするサイズの第一面側磁性体，少なくとも前記該ループアンテナをカバーするサイズの第一面側導電体，中央収納部，少なくとも前記該ループアンテナをカバーするサイズの第二面側導電体，少なくとも前記該ループアンテナをカバーするサイズの第二面側磁性体，第二面側非接触ＩＣカード収納部をそれぞれ配置したことを特徴とする収納ケース。
【請求項２】
前記収納ケース外側第一面側及び第二面側磁性体並びに第一面側及び第二面側導電体のうち、いずれか乃至全てが、任意に収納ケースより取り外し可能であることを特徴とする請求項１に記載の収納ケース。
【請求項３】
前記磁性体が、合成ゴム又は合成樹脂基材に磁性粉乃至は磁性フレークを分散させたシート状若しくは板状であることを特徴とする請求項１または２のいずれかに記載の収納ケース。
【請求項４】
前記導電体が、反磁界を発生させる金属のうちいずれかよりなること及び、形状がシート状若しくは板状であることを特徴とする請求項１または２のいずれかに記載の収納ケース。
【発明の詳細な説明】
【発明の詳細な説明】
【技術分野】
【０００１】  本発明はループアンテナを備え交流磁界を交信手段とする非接触ＩＣカード（以下、非接触ＩＣカードと呼ぶ）を複数枚収納可能とする非接触ＩＣカード収納ケース（以下、収納ケースと呼ぶ）であって、複数枚の非接触ＩＣカードを収納した状態で所望の非接触ＩＣカードのみをリーダー・ライターと確実に交信可能とする収納ケースに関する。
ここで言う収納ケースとは、財布やパスケース，名刺入れ，カードケース等を指す。
【背景技術】
【０００２】  近年、非接触ＩＣカードは、電子マネーを始め乗車券，定期券及び入退室管理システム等で既に広く普及している。非接触ＩＣカードはループアンテナを内蔵し、リーダー・ライターから放射される所定の周波数の交流磁界により電磁結合することによって交信を行い、情報のやり取りを行う。【０００３】  利用者はパスケースや財布などに非接触ＩＣカードを入れたままリーダー・ライターにかざすだけで通信を適切に行なうことができ、従来の磁気カードなどに比べ利便性が向上したため、多目的なカードをそれぞれの発行機関が発行し、利用者が同時に複数枚の非接触ＩＣカードを所持する場合も少なくない。【０００４】  前記のように利便性が高く普及も広く進んでいる非接触ＩＣカードにも、複数枚の非接触ＩＣカードがリーダー・ライターの交信範囲内に存在する場合、相互の非接触ＩＣカードの干渉により「枚数超過」などの読み取りエラーを起こす問題が生じる。【０００５】  このような問題を解消するため、従来技術として例えば下記特許文献１には、二枚の非接触ＩＣカードの間の隔壁部に、導電体と前記導電体の第一面及び第二面磁性体部を設けた構成とした非接触型ＩＣカードホルダーが提案されている。
前記従来技術（以下、従来技術１と呼ぶ）の非接触型ＩＣカードホルダーの構成を図３に示す。図３は、従来技術１の構成を示す断面図である。【０００６】  従来技術１の非接触型ＩＣカードホルダーは、カードホルダ−本体１０６にカードポケット１０４，１０５間の隔壁に導電体１０３の第一面及び第二面に磁性体１０１，１０２を設けている。【０００７】  例として、非接触ＩＣカードＣＡを使用する際、当該ＩＣカードＣＡの面を図示しないリーダー・ライターの読み取り面にかざす。このとき、リーダー・ライターからの交流磁界の多くはリーダー・ライターに近い側の磁性体１０１を磁路として収束し、リーダー・ライターに戻る磁力線のループを形成し、隣接した非接触ＩＣカードＣＡに内蔵されたアンテナコイルＣＡａとの交信を促す。
リーダー・ライターからの交流磁界のうち導電体１０３と鎖交する磁界は、導電体１０３の内部に生じる渦電流によって発生した反磁界に打ち消され、他方の非接触ＩＣカードＣＢのアンテナコイルＣＢａには影響を与えない。導電体１０３の外側を通る磁界は、磁性体１０２に引き込まれるが、磁性体１０１に収束する磁界と比較して、微量であるために非接触ＩＣカードＣＢとの交信を可能とするには至らない。よって、リーダー・ライターからの交流磁界は非接触ＩＣカードＣＢのアンテナコイルＣＢａとの交信をせず、非接触ＩＣカードＣＡのアンテナコイルＣＡａとのみ交信を可能とする。なお、他方の非接触ＩＣカードＣＢを使用する場合も同様である。【０００８】
【特許文献１】特許第３６３０００６号
【発明の開示】
【発明が解決しようとする課題】
【０００９】  以上のように、二枚の非接触ＩＣカード間にシート形状の磁性体と導電体を介在させることによってリーダー・ライターから発生した交流磁界内での非接触ＩＣカードの読み分けは可能である。【００１０】  しかしながら、従来技術１では両非接触ＩＣカード間にその他のカード類や紙幣、硬貨などを入れることを想定しておらず、ＩＣカード収納専用カードホルダーとなり、普段持ち歩く際に財布等を別途持参しなければならず、実用性について難がある。【００１１】  両外側面に収納する様々な組み合わせの非接触ＩＣカードとリーダー・ライターとの交信感度を調整する場合に於いて、磁性体，導電体並びに非接触ＩＣカード収納部間の間隙による調整では、収納ケース自体の総厚みの変化を伴うが、磁性体若しくは導電体の種類，厚み又は面積による調整と比較すると、調整に於ける原料コストを要しない。【００１２】  従来技術１の非接触型ＩＣカードホルダーに於いて、前述の通り用途をＩＣカード収納専用としており、前記間隙によっての調整を行うと、必要以上の厚みになり、携行する上で不便となる。【００１３】  本発明で提供する収納ケースは、前記従来技術１の課題である感度調整の容易さ、収納性の問題を解決したものである。更に、リーダー・ライターが放射する所定の周波数の交流磁界に対してリーダー・ライターにかざした非接触ＩＣカードとのみ確実に電磁結合による交信を行い、前記リーダー・ライター側とは逆側に収納された非接触ＩＣカードの電磁結合による交信を抑える機能を有した収納ケースを提供することを目的とする。【００１４】  また、本発明の収納ケースに於いて、磁性体及び導電体を収納ケース本体より取り外し可能にすることにより、各収納部に収納する非接触ＩＣカードのリーダー・ライターとの磁界による読み取りの可・不可並びに交信可能な距離の調整を可能とする。
【課題を解決するための手段】
【００１５】  前記課題を解決するために本発明の収納ケースは、両外側面にそれぞれ一枚ずつの非接触ＩＣカード収納部を設けた収納ケースであって、収納ケースの外側第一面より外側第二面に向かって順に、第一面側非接触ＩＣカード収納部，少なくとも非接触ＩＣカードのループアンテナをカバーするサイズの第一面側磁性体，少なくとも前記該ループアンテナをカバーするサイズの第一面側導電体，中央収納部，少なくとも前記該ループアンテナをカバーするサイズの第二面側導電体，少なくとも前記該ループアンテナをカバーするサイズの第二面側磁性体，第二面側非接触ＩＣカード収納部をそれぞれ配置したことを特徴とする。ここで言う中央収納部とは非接触ＩＣカードを含む各種カード若しくは紙幣，硬貨，名刺等の収納部を指し、以下も同様とする。【００１６】  本発明の収納ケースに於いて、外側第一面側及び第二面側磁性体並びに第一面側及び第二面側導電体のうち、いずれか乃至全てが、任意に収納ケースより取り外し可能であることを特徴とする。【００１７】  本発明の収納ケースに使用する磁性体は、合成ゴム又は合成樹脂基材に磁性粉乃至は磁性フレークを分散させたシート状若しくは板状であることを特徴とする。【００１８】  本発明の収納ケースに使用する導電体は、反磁界を発生させる金属のうちいずれかよりなること及び、形状がシート状若しくは板状であることを特徴とする。
【発明の効果】
【００１９】  本発明の収納ケースによれば、収納ケース内部に導電体及び磁性体を配置したことによって、収納ケースに複数枚の非接触ＩＣカードを収納した状態に於いて、所望のＩＣカードをリーダー・ライターにかざした際に、リーダー・ライターが放射する所定の周波数の交流磁界が、リーダー・ライターにかざした側の非接触ＩＣカードとのみ電磁結合による交信を行い、リーダー・ライターと逆側に収納された非接触ＩＣカードの交信を抑える機能を有した非接触ＩＣカード収納ケースを提供することが可能となる。【００２０】  本発明の収納ケースに於いて、第一面側及び第二面側磁性体及び第一面側及び第二面側導電体のいずれか乃至全てを任意に取り外し可能である構造にすることにより、前記磁性体を取り外した側の外側面非接触ＩＣカード収納部に収納した非接触ＩＣカードについて導電体が隣接した場合に、スキミング防止機能を持たせることが可能となり、前記導電体を取り外した側の外側面非接触ＩＣカード収納部に収納した非接触ＩＣカードのリーダー・ライターとの交信を可能とする距離を増加させることが可能となる。
更に、違う種類や厚みの磁性体または導電体を収納ケースに差し替えることによって、収納ケースが完成後であっても、様々なリーダー・ライターに応じた交信感度調整を行うことが可能となる。【００２１】  本発明の収納ケースによれば、収納ケース内部に中央収納部を配置することによって、リーダー・ライターの出力に対応した感度調整を収納ケース内部の間隙により可能となる。
間隙による調整方法は、間隙を収納部として使用するのはもとより、磁性体若しくは導電体の種類，大きさ又は面積での調整に比べてコストを要せず、収納部の確保という点で付加価値要素がある。
加えて、中央収納部には導電体が隣接して配置されているため、読ませたくない非接触ＩＣカードを収納することにより、前記導電体より発生した反磁界によってスキミング防止効果が得られる。また、中央収納部の形状を様々に変えることにより、本発明の収納ケースは従来技術１と比較してパスケースとしての用途だけでなく財布や名刺入れなど様々な構成に対応可能である。
【発明を実施するための形態】
【００２２】  （第一の実施形態）
以下、本発明の実施形態を図面を参照して説明する。
【００２３】  図１は本発明の第一の実施形態を示している。
図１は本発明の収納ケースの第一の構成例を表す断面図である。
【００２４】  図１に示すようにケース本体０２は、内部に図面上側より順に非接触ＩＣカード収納部（以下、ＩＣカード収納部と呼ぶ）０７，磁性体０３，導電体０５，中央収納部０９，導電体０６，磁性体０４，ＩＣカード収納部０８をそれぞれ備え、ＩＣカード収納部０７，０８内には非接触ＩＣカード（以下、ＩＣカードと呼ぶ）Ｃ０１，Ｃ０２がそれぞれ収納されている。
【００２５】  前記ケース本体は交信を妨害しない例えば皮革、合成繊維、合成樹脂等の非磁性材料が好ましい。前記磁性体とは合成樹脂等の基材に磁性粉乃至は磁性フレークを分散させたシート状若しくは板状とし、前記導電体とは反磁界を発生させる金属で出来たシート状若しくは板状のものとする。
【００２６】  導電体０５及び０６の大きさは、リーダー・ライターと逆側にあるＩＣカードに磁界の交信を妨げる上で大きければ大きいほど好ましい。
【００２７】  ここで、図１の構成に於いてＩＣカードＣ１，Ｃ２のリーダー・ライターの交流磁界に対する読み分けは前記従来技術１と同様の過程により提案できる。
【００２８】  また、導電体０５及び０６の間に間隙を設けることによって、リーダー・ライターに向けた側面に配置された導電体の外側を通る磁界について、リーダー・ライターと逆側面に配置された磁性体間の距離が伸びることにより、リーダー・ライターと逆側面に配置された磁性体に届く磁界の影響が減少し、より確実に２枚のＩＣカードを読み分けることが可能となる。
【００２９】  更に、中央収納部０９にＩＣカードを収納することにより、どちらの面をリーダー・ライターに向けた場合に於いても、隣接する導電体０５または０６に発生する反磁界により、交流磁界との交信を妨げるスキミング防止機能をもつ。
【００３０】  （第二の実施形態）
図２は本発明の第二の実施形態を示している。
図２は本発明の収納ケースの第二の構成例を表す断面図である。
【００３１】  図２の構成では、図１の構成と比べ、両面側の磁性体及び導電体がケース本体１１に配置された収納部１２及び１３にそれぞれ取り外し可能な構成となっている。
【００３２】  図２に於いて、図１の構成より収納部１２から磁性体０３を、収納部１３より導電体０６をそれぞれ取り外した状態を示している。
【００３３】  ここで、図２の構成に於いて収納部１２より磁性体０３を取り外したことにより、ＩＣカード収納部０７に収納されたＩＣカードＣ０１には導電体０５が隣接するため、ＩＣカードＣ０１側をリーダー・ライターに向けた場合に於いても、導電体０５に発生する反磁界によりリーダー・ライターからの磁界との交信が防止出来る。よって、ＩＣカードＣ０１へのスキミング防止効果が得られる。
【００３４】  また、図２の構成に於いて収納部１３より導電体０６を取り外したことにより、ＩＣカード収納部０８に収納されたＩＣカードＣ０２には、ＩＣカードＣ０２側をリーダー・ライターを向けた場合に於いて、取り外した導電体０６から発生する反磁界による交信の妨げを受けることが無くなる為、リーダー・ライターとの交信を可能とする距離を増加することが可能となる。
【発明の効果】
【００３５】  以上の通り、本発明によれば従来技術と比較し、複数枚の非接触ＩＣカードを収納でき、所望の非接触ＩＣカードのみをリーダー・ライターからの交流磁界と交信させることが可能な収納ケースであって、且つ中央収納部を設けることによっての収納性が向上し、素材の取り外しによるユーザーカスタマイズが可能な収納ケースを提供出来る。
【図面の簡単な説明】
【図１】  本発明の第一の実施形態を示す断面図。
【図２】  本発明の第二の実施形態を示す断面図。
【図３】  特許文献１の、非接触型ＩＣカードホルダーの構成及び非接触ＩＣカードの配置を示す断面図。
【符号の説明】
０１，１０・・・非接触ＩＣカード収納ケース、１０６・・・カードホルダー本体、０２，１１・・・ケース本体、０３，０４，１０１，１０２・・・磁性体、０５，０６，１０３・・・導電体、Ｃ０１，Ｃ０２，ＣＡ，ＣＢ・・・非接触ＩＣカード、１０４，１０５・・・カードポケット、０７，０８・・・非接触ＩＣカード収納部、０９・・・中央収納部、Ｃ０１ａ，Ｃ０２ａ・・・ループアンテナ、ＣＡａ，ＣＢａ・・・アンテナコイル
【図１】
2009252223.tif 000003
【図２】
2009252223.tif 000004
【図３】
2009252223.tif 000005